(57)【特許請求の範囲】
【請求項１】
焦点板と、中央に焦点板を配置する焦点板配置部及び両側に焦点板中心と同心な円周に沿う長孔が形成された連結部を備えた焦点板枠と、焦点板枠を可動可能に支持する支持部と、前記焦点板配置部の外径に配設される枠体からなると共に中心から外方向に傾斜したＶ字溝を対向して有し前記焦点板を掩閉する焦点板枠押えと、中央に前記焦点板枠押えを露見する切り欠き部を有すると共に焦点板枠押えに向けて一方側から組み付けられた押えピン及びばねと他方側から組み込まれた調整ねじとを有する焦点板外枠と、前記支持部と前記焦点板枠の連結部とを固定するビスと、を備え、前記焦点板外枠の押えピンと前記調整ねじのそれぞれの先端をＶ字溝に当接させて前記焦点板枠押えを両側から押圧して、前記調整ねじにより焦点板枠を視準軸に垂直な面上を水平方向に移動可能とし、前記ビスの調節により焦点板枠の長孔に沿って回動することにより焦点板枠押えが視準軸に垂直な面上で回転可能とすることを特徴とする焦点板調整装置。
【発明の詳細な説明】
【０００１】
【発明の属する技術分野】
本発明は、測量機の焦点板調整装置に係り、特に水準機，測距測角儀等に備えられた焦点板の調整を行う測量機の焦点板調整装置に関する。
【０００２】
【従来の技術】
従来から、望遠鏡の焦点板の調整は、焦点板の円周４方向に設けたねじの押し引きにより行われている。しかし焦点板の周囲４方向に設けた４つのねじを全て動かさなくてはならず手間がかかるという不都合があった。また焦点板を所定の位置に固定するためにねじを締めるときには、どうしても焦点板が動いてしまうので、その分を見込んで調整をしなくてはならなかった。また、十字線の傾きの調整ができなかった。
【０００３】
そこで１本のねじで調整できる技術が提案されている。例えば実開昭６１−２４７１９号公報では、焦点板外枠における調整ねじ及び取付ねじの遊嵌部は、夫々焦点板外枠の円周方向に長い条孔に形成されると共に、焦点板枠を調整ねじ側、取付ねじ側のいずれか一方の側に弾引するための弾引機構を具えた技術が開示されている。
【０００４】
すなわち、この技術によれば、一本のねじで調整するものであり、「焦点板外枠（４）内の後端よりに前端面を当接し、焦点板外枠（４）内の後端面付近に欠円リング（６）を固定し、焦点板枠（３）の後端面と欠円リング（６）の前面との間にばね座金（７）を介在させて、焦点板枠（３）、従って焦点板（１）を常に突縁（５）の後端面すなわち焦点板外枠（４）の前方側に弾圧するように形成する。次に焦点板外枠（４）の上下対称位置又は左右対称位置に、外枠の円周方向に長いねじ貫通条孔（８）（９）を設ける。ねじ貫通条孔（８）には、調整ねじ（１０）の螺杆部（１０ｂ）を貫挿し、この螺杆部（１０ｂ）は焦点板枠（３）に設けたねじ孔（１６）に螺入されている。而して調整ねじ（１０）の頭部（１０ａ）と焦点板外枠（４）の外面との間に彎曲座金（１２ａ）を介在させる。またねじ貫通条孔（９）に、取付ねじ（１１）の螺杆部（１１ｂ）を貫挿し、この螺杆部（１１ｂ）は、焦点板枠（３）に設けたねじ孔（１７）に螺入され、上記取付ねじ（１１）と前期調整ねじ（１０）とにより焦点板枠（３）を支持している。」而して焦点板枠（３）は、取付ねじ（１１）の方向又は調整ねじ（１０）の方向に弾引機構により常に弾引されている」こと、「前記ねじ貫通条孔（９）を掩閉するように、焦点板外枠（４）の外面に当接された彎曲座金（１２ｂ）と、取付ねじ（１１）の頭部（１１ａ）との間に、弾撥ばね部材（１３）を介在させて取付ねじ（１１）を常に外方に弾引し、従って焦点板枠（３）を取付ねじ（１１）側に弾引する」ことが開示されている（実開昭６１−２４７１９号の明細書第４頁第１６行乃至第６頁第１行）。
【０００５】
また、ねじに弾力手段を有しているものとして、上記実開昭６１−２４７１９号公報の他に、実公昭４１−１３５号公報等が知られている。
【０００６】
さらに、傾きを修正できるものとしても、上記実開昭６１−２４７１９号公報の他に、実開昭５４−１１８１５４号公報が知られている。この実開昭５４−１１８１５４号公報では、「装置本体に固定された保持板と、該保持板に支持されて搭載されたレンズ等の光学系の焦点距離を調整（Ｚ方向）する第１調整機構と、上記保持板に支持されかつ搭載された読取素子を上記Ｚ方向と垂直な面内でＸ方向、Ｙ方向及びねじれ方向（Ｑ方向）に調整する第２調整機構とを備えてなり、保持板を基準面として該保持板に搭載された第１及び第２調整機構を介してＸ，Ｙ，Ｚ及びＱ方向の位置調整をする」技術が開示されている。すなわち、保持板１１の相対する面にはＺ方向移動板１６が四隅のビス２７で位置調整可能に取付けられ，Ｙ方向移動は微調整用として従来から用いられている差動ねじ１８によって行われる。Ｙ方向移動板１６の差動ねじ１８と対向する側に設けられたピン１９は、上記差動ねじ１８による移動を吸収するガイドピンである。上記差動ねじ１８はリードＬ1，Ｌ2の１種のねじが刻まれて成り、差動ねじ１８の１回転によってＹ方向移動板はＹ＝Ｌ1−Ｌ2だけ移動し、リードＬ1とＬ2を近づけることによって更に微調整が可能となる。
【０００７】
上記Ｙ方向移動板は保持板１１に当接する側と相対する側でＱ方向移動板２３に嵌合し，該Ｑ方向移動板２３と保持板１１間にＹ方向移動板１６を覆ってＸ方向移動板１７及びＸ方向調整板２０が介挿されている。まず上記Ｑ方向移動板２３には読取素子１０を判定した基板２４が固定ビス２６，２６によって一体的に取付けられ、Ｑ方向移動板２３の他端は上記Ｙ方向移動板１６の突部１６ａと係合し，Ｙ方向移動板１６の移動に伴って変位する。Ｑ方向移動板２３はＱ方向調整ねじ２５によってＸ方向調整板２０及びＸ方向移動板１７に支持されるが、調整ねじ２５が挿通される部分のＱ方向移動板２３には、ねじ径よりも充分大きいバカ穴２５ａが形成され、バカ穴２５ａの範囲内で基板２４をＸ方向調整板２０上で摺動させて、Ｑ方向のねじれ調整が実行される。ねじれ調整がなされた状態でＱ方向調整ねじ２５が締結され、位置が固定される。ただし該Ｑ方向調整ねじ２５は上記Ｙ方向の位置調整及び次に述べるＸ方向の位置調整がなされた状態で締結され、調整作業中は緩められた状態に置かれる。
【０００８】
Ｘ方向の位置調整は、Ｙ方向移動板１６を覆ってＱ方向移動板２３との間に介挿されたＸ方向移動板１７によって、該Ｘ方向移動板１７のＸ方向に設けられた調整差動ねじ２１の回転により実行される。Ｘ方向移動板１７のＸ方向に設けられたガイドピン２２は上記差動ねじに２１よるＸ方向移動を吸収する。差動ねじ２１は上記差動ねじ１８と同様にリードの異なるねじで形成され、微調整がなされる。差動ねじ２１の回転によってＸ方向移動板１７が移動すると、該移動に伴って嵌合状態にあるＹ方向移動板１６もまた一体的に移動し、更にＸ方向微調整板２０に支持された基盤２４をもＸ方向に移動させて位置調整する。」ことが開示されている（実開昭５４−１１８１５４号の明細書第４頁第１４行乃至第６頁第１９行）。
【０００９】
【発明が解決しようとする課題】
しかし上記実開昭６１−２４７１９号公報で示す技術では、焦点板を保持する枠に直接調整ねじや取付ねじを螺合させて調整するものであり、傾きに関しては「十字線（２）の傾きを調整するには、木槌などで調整ねじ（１０）の頭部（１０ａ）又は取付ねじ（１１）の頭部（１１ａ）を叩」くものであり、熟練を要する調整なので不都合がある。
【００１０】
また実開昭５４−１１８１５４号公報で開示された技術は、機構複雑であるだけでなく、ねじの押し引きによる調整機構では、焦点板の周囲４方向に設けた４つのねじを全てを動かさなくてはならず手間かかかるという不都合があった。また焦点板を所定の位置に固定するためにねじを締めるときには、どうしても焦点板が動いてしまうので、その分を見込んで調整をする場合が生じていた。
【００１１】
本発明の目的は、一つのねじで焦点板を左右（上下）に動かせるだけでなく、焦点板を傾けることができ、調整が簡単に素早く行える焦点板調整装置を提供することにある。従って、本発明の他の目的は、焦点板を左右に動かす作業と傾きを修正する作業とを独立して行える焦点板調整装置を提供することにある。
【００１２】
【課題を解決するための手段】
本願発明に係る焦点板調整装置は、焦点板と、中央に焦点板を配置する焦点板配置部及び両側に焦点板中心と同心な円周に沿う長孔が形成された連結部を備えた焦点板枠と、焦点板枠を可動可能に支持する支持部と、前記焦点板配置部の外径に配設される枠体からなると共に中心から外方向に傾斜したＶ字溝を対向して有し前記焦点板を掩閉する焦点板枠押えと、中央に前記焦点板枠押えを露見する切り欠き部を有すると共に焦点板枠押えに向けて一方側から組み付けられた押えピン及びばねと他方側から組み込まれた調整ねじとを有する焦点板外枠と、前記支持部と前記焦点板枠の連結部とを固定するビスと、を備え、前記焦点板外枠の押えピンと前記調整ねじのそれぞれの先端をＶ字溝に当接させて前記焦点板枠押えを両側から押圧して、前記調整ねじにより焦点板枠を視準軸に垂直な面上を水平方向に移動可能とし、前記ビスの調節により焦点板枠の長孔に沿って回動することにより焦点板枠押えが視準軸に垂直な面上で回転可能とすることを特徴とする。
【００１３】
【発明の実施の形態】
測量用望遠鏡は対物レンズと遠近合焦する合焦レンズとこれを鏡筒内で移動させるための合焦つまみと正立像を作るための正立プリズムと結像面上の焦点板十字線と結像を拡大して見る接眼レンズとで構成されている。本発明の焦点板調整装置は、焦点板Ｇと、焦点板枠１と、焦点板枠押え２と、焦点板外枠３と、押えピン４と、ばね５と、調整ねじ６と、ビス７と、支持部８と、を主要構成要素としている。
【００１４】
焦点板枠１は中央に焦点板Ｇを配置形成され、焦点板枠１の両側には焦点板中心と同心で円周方向の長孔１ｂが形成された連結部１ｃが形成されている。（図３）
【００１５】
この焦点板枠１は、連結部１ｃと支持部８とをビス７により取り付けられるが、ビス７を緩めることにより長孔１ｂの範囲で焦点板枠１が支持部８に対して可動可能になっている。
【００１６】
また焦点板枠押え２は焦点板枠１の外径に配設される枠体から形成されており、外周の所定位置には中心から外方向に傾斜したＶ字溝２ａが対向して形成されている。またこの焦点板枠押え２により焦点板Ｇは掩閉されている。
【００１７】
焦点板外枠３は中央に前記焦点板枠押え２を露見する切り欠き部３ａが形成されており、この焦点板外枠３には焦点板枠押え２に向けて一方の方向から押えピン４及びばね５が配設され、他方に調整ねじ６が配設されている。
【００１８】
そして焦点板外枠３の押えピン４と調整ねじ６のそれぞれの先端をＶ字溝２ａに当接させており、焦点板枠押え２を両側から押圧して、調整ねじ６により焦点板枠１を視準軸に垂直な面上を水平方向に移動可能とし、ビス７の調節により焦点板枠１の長孔１ｂに沿って回動することにより焦点板枠押え２が視準軸に垂直な面上で回転可能とする。
【００１９】
このようにＶ字溝２ａに押えピン４と調整ねじ６がそれぞれ当接しているので、押さえねじとの芯がずれていても、力を均等に焦点板枠１の中心に向かって働かせることができる。
【００２０】
従って、焦点板Ｇを左右に動かす作業と傾きを修正する作業とを独立して行うことができる。つまり先ず、焦点板Ｇの中心（十字線の交点）と視準軸を合わせ、その後、焦点板Ｇの傾きを修正（十字線の縦線が鉛直になるようにする）できるため、調整が簡単に素早く行える。
【００２１】
つまり焦点板枠１が焦点板枠押さえに組み込まれ、焦点板枠押さえを左右（上下）に動かせば焦点板枠１も動き、焦点板を左右（上下）に調整することができる。また焦点板枠１を回転させる際には、焦点板枠押さえがガイドレールの働きをし、上下左右にぶれることなく焦点板Ｇを傾けることができる。
【００２２】
このように焦点板Ｇの横（左右又は上下）方向の動きを、一方にばね５をおき、反対側からねじで押し引きすることで行うことができ、さらに横方向の動きを受ける枠とは別の枠を設け、これを案内に視準軸に垂直な面上で焦点板Ｇを回転することができる。
【００２３】
以上のように本発明によれば、一つのねじを回すことで、十字線の中心を視準軸１０に垂直な面と、視準軸を含む鉛直面の交線上に合わせることができ、その動きと別に、焦点板Ｇの傾きの調整が可能になった。焦点板Ｇを視準軸に垂直な面上で回転し、且つ同面上を横方向に移動させることが可能である。
【００２４】
【実施例】
以下、本発明の具体的な実施例を図面に基づいて説明する。なお、以下に説明する具体的な部材，配置等は本発明を限定するものでなく、本発明の趣旨の範囲内で種々改変することができるものである。
【００２５】
図１乃至図３は本発明に係る焦点板調整装置の一実施例を示すものであり、図１は焦点板調整装置の一部切欠した正面図、図２は図１のＡ−Ａ線断面図、図３は図１のＢ−Ｂ線断面図である。
【００２６】
本例の焦点板Ｇは焦点板枠１に組み付けられている。焦点板Ｇには、図示しないが十字線やスタジア線が設けられている。本例の焦点板枠１は、概略矩形形状をした板体から構成されており、中央に焦点板Ｇが形成され、両側に焦点板中心と同心で円周方向の長孔１ｂが形成された連結部１ｃを備えている。焦点板配置部１ａは上方に突起した筒状体が形成されており、この筒状体に焦点板Ｇが配置される。また焦点板枠１の外周には後述する焦点板枠押え２が嵌合し、焦点１の上面には円弧状の段差１ｄが形成されている。
【００２７】
本例の焦点板枠押え２は、上記焦点板枠１の外径に配設される枠体からなるものであり、中央に孔２ｂが形成されている。また焦点板枠押え２の外周には、対向したＶ字溝２ａが形成されている。本例のＶ字溝２ａは中心から外方向に傾斜して形成されている。そしてこの焦点板枠押え２により前記焦点板Ｇを掩閉している。
【００２８】
本例の焦点板外枠３は、中央に前記焦点板枠押え２を露見する切り欠き部３ａが形成されている。また焦点板外枠３の対向する外周から上記切り欠き部３ａへ貫通した貫通孔３ｂが形成されている。この貫通孔３ｂの切り欠き部３ａ側には、ねじ孔３ｄが形成されており、このねじ孔３ｄに調整ねじ６が螺合している。また貫通孔３ｃの外周側の部分には、雌ねじ部３ｅが形成されており、この貫通孔３ｃには押えピン４とばね５と押えピン調整ねじ９が配置されている。
【００２９】
本例の押えピン４は、先端が当接部４ａとして形成されて切り欠き部３ａに露見しており、当接部４ａは焦点板枠押え２のＶ字溝２ａと当接している。そして押えピン４の後端と調整ねじ６との間にばね５を配設している。押えピン調整ねじ９は雌ねじ部３ｅと螺合している。なお本例のばね５は、コイルばねを用いているが、板ばね等でも良い。
【００３０】
本例の調整ねじ６は、先端に当接部６ａが形成され、この当接部６ａは焦点板枠押え２のＶ字溝２ａと当接しており、後端には調整ねじ６を回動するための治具と係合する溝６ｂが形成されている。調整ねじ６で焦点板Ｇの調整後、焦点板外枠３は固定ねじ１１で固定される。
【００３１】
本例のビス７は、支持部８と前記焦点板枠１の連結部１ｃとを固定するものであり、このビス７を緩めることにより、焦点板枠１は連結部１ｃに形成された長孔１ｂに沿って視準軸に垂直な面上で回転させることができる。なお、図３における符号１２は鏡筒、符号１３は合焦つまみ、符号１４は接眼レンズ、符号１５は合焦レンズ、符号１６は正立プリズムである。
【００３２】
次に上記構成からなる焦点板調整装置の動作について説明する。
まず調整ねじ６を回すことにより、調整ねじ６が焦点板枠押え２を押し、これにより押えピン４を弾撥しているばね５が圧縮されて、焦点板枠１と焦点板枠押え２が視準軸１０に垂直な平面上を水平方向に移動する。その後焦点板外枠３を固定ねじ１１で固定する。
【００３３】
また焦点板枠１の外径と焦点板枠押え２の内径は、はめあいになっているので、ビス７を緩めることにより焦点板枠１は焦点板枠押え２に対して回転自在となり、従って焦点板枠１を長孔１ｂに沿って回すことにより、十字線の傾きを水平移動に関係なく調整することができる。
【００３４】
【発明の効果】
以上のように本発明によれば、一つの調整ねじを回すことで、十字線の中心を視準軸に垂直な面と、視準軸を含む鉛直面の交線上に合わせることができ、その動きと別に、焦点板枠押えを回動することにより、焦点板の傾きの調整が可能になり、素早い調整が可能となった。
【図面の簡単な説明】
【図１】本発明に係る焦点板調整装置の一部切欠した正面図である。
【図２】図１のＡ−Ａ線断面図である。
【図３】図１のＢ−Ｂ線断面図である。
【符号の説明】
１  焦点板枠
１ａ  焦点板配置部
１ｂ  長孔
１ｃ  連結部
１ｄ  段差
２  焦点板枠押え
２ａ  Ｖ字溝
２ｂ  孔
３  焦点板外枠
３ａ  切り欠き部
３ｂ，３ｃ  貫通孔
３ｄ  ねじ孔
３ｅ  雌ねじ部
４  押えピン
４ａ  当接部
５  ばね
６  調整ねじ
６ａ  当接部
６ｂ  溝
７  ビス
８  支持部
９  ふたねじ９
１２  鏡筒
１３  合焦つまみ
１４  接眼レンズ
１５  合焦レンズ
１６  正立プリズム
Ｇ  焦点板
【図１】
0003679171.tif 000002
【図２】
0003679171.tif 000003
【図３】
0003679171.tif 000004